(57)【特許請求の範囲】
【請求項１】
商品番号を入力して購入希望商品を選択する商品選択ボタンと、少なくとも前記商品選択ボタンで選択された商品番号や投入金額を表示する表示器と、を備えた自動販売機において、
前記自動販売機の外扉を開け、前記商品選択ボタンの予め設定してあるボタンを押下することにより、前記商品選択ボタンおよび前記表示器を前記自動販売機の入出力装置とする、通常モードからリモコンモードに切り替えることを特徴とする自動販売機。
【請求項２】
商品番号を入力して購入希望商品を選択する商品選択ボタンと、少なくとも前記商品選択ボタンで選択された商品番号や投入金額を表示する表示器と、自動販売機の外扉内に自動販売機を制御するメインコンロールボックスと、を備えた自動販売機において、
前記メインコントロールボックスにモード切替スイッチを備え、前記自動販売機の外扉を開け、前記モード切替スイッチを操作することにより、前記商品選択ボタンおよび前記表示器を前記自動販売機の入出力装置とする、通常モードからリモコンモードに切り替えることを特徴とする自動販売機。
【請求項３】
前記リモコンモードに切り替わると、前記表示器にはデフォルト機能としてのモードファンクション１が表示され、前記商品選択ボタンの予め設定してあるボタンを押下することにより前記モードファンクション１から遷移させ、各モードファンクションを実行させることを特徴とする請求項１または請求項２に記載の自動販売機。
【請求項４】
売り切れランプ、釣銭切れランプなどの予め設定してある表示ランプを点灯させることにより、前記リモコンモードであることを表示することを特徴とする請求項１乃至請求項３の何れかの項に記載の自動販売機。
【請求項５】
前記外扉が閉められた、または、所定の時間内に前記商品選択ボタンの予め設定してあるボタンが押下されなかった、さらには、前記モード切替スイッチまたは金銭返却スイッチが操作されると、前記リモコンモードから前記通常モードに切り替えることを特徴とする請求項２に記載の自動販売機。
【請求項６】
前記自動販売機が故障した場合、前記自動販売機の外扉を開け、前記商品選択ボタンの予め設定してあるボタンを押下することにより、前記表示器に、該故障の詳細内容に対応する故障コードを表示することを特徴とする請求項１乃至請求項５の何れかの項に記載の自動販売機。
【発明の詳細な説明】
【技術分野】
【０００１】
本発明は、各種商品を販売する自動販売機に関する。
【背景技術】
【０００２】
通常、自動販売機には、リモコン（remote control）などの専用の入力装置が設けられ、この入力装置は、多数の操作キーおよび表示器を備えているのが一般的である。
【０００３】
そして、この操作キーを操作することで各種データの設定作業を行い、作業内容を表示器で確認しながら操作を行っている（例えば、特許文献１参照）。
【先行技術文献】
【特許文献】
【０００４】
【特許文献１】特開平４−３４０１８４号公報
【発明の概要】
【発明が解決しようとする課題】
【０００５】
しかしながら、上述した自動販売機は、リモコンなどの専用の入力装置が各自動販売機に必要となることから自動販売機のコストアップ要因になるという問題がある。
【０００６】
本発明は、以上のような課題を解決するためになされたものであり、コストダウンを図ることが可能な自動販売機を提供することを目的とする。
【課題を解決するための手段】
【０００７】
上記の目的を達成するために、本発明の請求項１に係る自動販売機は、商品番号を入力して購入希望商品を選択する商品選択ボタンと、少なくとも前記商品選択ボタンで選択された商品番号や投入金額を表示する表示器と、を備えた自動販売機において、
前記自動販売機の外扉を開け、前記商品選択ボタンの予め設定してあるボタンを押下することにより、前記商品選択ボタンおよび前記表示器を前記自動販売機の入出力装置とする、通常モードからリモコンモードに切り替えることを特徴とする。
【０００８】
また、本発明の請求項２に係る自動販売機は、商品番号を入力して購入希望商品を選択する商品選択ボタンと、少なくとも前記商品選択ボタンで選択された商品番号や投入金額を表示する表示器と、自動販売機の外扉内に自動販売機を制御するメインコンロールボックスと、を備えた自動販売機において、
前記メインコントロールボックスにモード切替スイッチを備え、前記自動販売機の外扉を開け、前記モード切替スイッチを操作することにより、前記商品選択ボタンおよび前記表示器を前記自動販売機の入出力装置とする、通常モードからリモコンモードに切り替えることを特徴とする。
【０００９】
また、本発明の請求項３に係る自動販売機は、上述した請求項１または請求項２において、前記リモコンモードに切り替わると、前記表示器にはデフォルト機能としてのモードファンクション１が表示され、前記商品選択ボタンの予め設定してあるボタンを押下することにより前記モードファンクション１から遷移させ、各モードファンクションを実行させることを特徴とする。
【００１０】
また、本発明の請求項４に係る自動販売機は、上述した請求項１乃至請求項３の何れかの項において、売り切れランプ、釣銭切れランプなどの予め設定してある表示ランプを点灯させることにより、前記リモコンモードであることを表示することを特徴とする。
【００１１】
また、本発明の請求項５に係る自動販売機は、上述した請求項１乃至請求項４の何れかの項において、前記外扉が閉められた、または、所定の時間内に前記商品選択ボタンの予め設定してあるボタンが押下されなかった、さらには、前記モード切替スイッチまたは金銭返却スイッチが操作されると、前記リモコンモードから前記通常モードに切り替えることを特徴とする。
【００１２】
また、本発明の請求項６に係る自動販売機は、上述した請求項１乃至請求項５の何れかの項において、前記自動販売機が故障した場合、前記自動販売機の外扉を開け、前記商品選択ボタンの予め設定してあるボタンを押下することにより、前記表示器に、該故障の詳細内容に対応する故障コードを表示することを特徴とする。
【発明の効果】
【００１３】
請求項１の発明によれば、商品番号を入力して購入希望商品を選択する商品選択ボタンと、少なくとも商品選択ボタンで選択された商品番号や投入金額を表示する表示器と、を備えた自動販売機において、自動販売機の外扉を開け、商品選択ボタンの予め設定してあるボタンを押下することにより、商品選択ボタンおよび表示器を自動販売機の入出力装置とする、通常モードからリモコンモードに切り替えることにより、リモコンなどの専用の入力装置が不要となることから自動販売機の構成を簡素化でき、コストダウンを図ることが可能な自動販売機を提供することが可能となる。
【００１４】
また、請求項２の発明によれば、商品番号を入力して購入希望商品を選択する商品選択ボタンと、少なくとも商品選択ボタンで選択された商品番号や投入金額を表示する表示器と、自動販売機の外扉内に自動販売機を制御するメインコンロールボックスと、を備えた自動販売機において、メインコントロールボックスにモード切替スイッチを備え、自動販売機の外扉を開け、モード切替スイッチを操作することにより、商品選択ボタンおよび表示器を自動販売機の入出力装置とする、通常モードからリモコンモードに切り替えることにより、リモコンなどの専用の入力装置が不要となることから自動販売機の構成を簡素化でき、コストダウンを図ることが可能な自動販売機を提供することが可能となる。
【００１５】
また、請求項３の発明によれば、リモコンモードに切り替わると、表示器にはデフォルト機能としてのモードファンクション１が表示され、商品選択ボタンの予め設定してあるボタンを押下することによりモードファンクション１から遷移させ、各モードファンクションを実行させることにより、少ない操作で各種データの設定作業を簡単に行うことができる自動販売機を提供することが可能となる。
【００１６】
また、請求項４の発明によれば、売り切れランプ、釣銭切れランプなどの予め設定してある表示ランプを点灯させることにより、リモコンモードであることを表示することにより、データ設定作業者に通常モードからリモコンモードに切り替わったことを知らせることが可能となる。
【００１７】
また、請求項５の発明によれば、外扉が閉められた、または、所定の時間内に商品選択ボタンの予め設定してあるボタンが押下されなかった、さらには、モード切替スイッチまたは金銭返却スイッチが操作されると、リモコンモードから通常モードに切り替えることにより、誤ってリモコンモードが継続することを原因とする商品の販売不可状態の継続を回避することが可能となる。
【００１８】
また、請求項６の発明によれば、自動販売機が故障した場合、自動販売機の外扉を開け、商品選択ボタンの予め設定してあるボタンを押下することにより、表示器に、該故障の詳細内容に対応する故障コードを表示することにより、自動販売機の故障時の故障コード表示をリモコンなどの専用の装置を必要としないで行うことが可能となる。
【図面の簡単な説明】
【００１９】
【図１】本発明の実施の形態である自動販売機を示す正面図である。
【図２】図１に示した自動販売機の外扉開放状態を示す正面図である。
【図３】図１に示した自動販売機の商品選択ボタンを示す図である。
【図４】図１に示した自動販売機の表示器を示す図である。
【図５】図１に示した自動販売機の制御構成を示す制御ブロック図である。
【図６】図１に示した自動販売機の制御を示すフローチャート図である。
【図７】図１に示した自動販売機の制御を示すフローチャート図である。
【図８】図１に示した自動販売機の制御を示すフローチャート図である。
【図９】図１に示した自動販売機の制御を示すフローチャート図である。
【図１０】図１に示した自動販売機の制御を示すフローチャート図である。
【発明を実施するための形態】
【００２０】
以下、図面を参照しながら、本発明に係る自動販売機の好適な実施の形態について詳細に説明する。なお、この実施の形態によりこの発明が限定されるものではない。
【００２１】
図１は、本発明の実施の形態である自動販売機を示す正面図、図２は、本発明の実施の形態に係る自動販売機の外扉開放状態を示す正面図である。
【００２２】
図に示すように自動販売機１は、前面を開口した略直方体の本体２と、本体２前面の開口を開閉自在に覆う収納庫外扉３と接客部外扉４と、を備えている。
【００２３】
本体２内部は、前面が開口して周囲を断熱部材により囲繞された商品収納庫２ａと、商品収納庫２ａに隣接し、メインコントロールボックス（制御部）９０などが収納される電装部品収納庫２ｂとから構成されている。
【００２４】
商品収納庫２ａ内部には販売する商品を前後一列に並べて収納する商品収納コラム２１が上下段、左右列に並べて設けられている。商品収納コラム２１は、販売指令信号に基づいて商品を前方に送り出すように構成され、メインコントロールボックス９０が出力する信号で回転駆動されて商品を前方に送り出す。
【００２５】
また、商品収納庫２ａ内部には、各商品収納コラム２１から送出された商品を受容し、商品取出口２２に搬送する商品搬送装置（図示せず）が設けられている。
【００２６】
さらに、本体２の下部には図示しない圧縮機や凝縮器、商品収納庫２ａ内部には蒸発器が設けられ、これらで構成される冷却装置が運転されると、圧縮機で圧縮されて凝縮器で液化された冷媒が蒸発器で蒸発した時に発生する気化熱で商品収納庫２ａ内部を設定温度（例えば、５℃）に冷却する。
【００２７】
収納庫外扉３は、複数の商品収納コラム２１に収納されている商品が外部から目視、観察できるように、それらに対応する領域に透明板３ａが設けられている。
【００２８】
接客部外扉４には自動販売機１の操作部（接客部）である、商品番号を入力して購入希望商品を選択するテンキー(０から９までの数字を入力するキー)押しボタンと購入ボタン、取り消しボタンの組合せで構成する商品選択ボタン４１、商品選択ボタン４１で選択された商品番号や投入金額などを表示する表示器４２、紙幣識別装置４３の紙幣挿入口４４、硬貨識別装置４５の硬貨投入口４６、紙幣挿入口４４に挿入した紙幣や硬貨投入口４６に投入した硬貨を返却操作する金銭返却スイッチ４７、硬貨を返却する硬貨返却口４８、鍵部４９が配設されている。
【００２９】
商品取出口２２には、商品搬送装置で搬送された商品を取り出すための開口部２３と、開口部２３を開閉するための取出口扉２４が設けられている。取出口扉２４は、上端を軸支されて奥側に回動可能に設けられ、前面を押圧されて奥側に回動されたとき、開口部２３を開放して商品取出口２２内に搬送された商品を取り出し可能とするように構成され、常時は図示しない付勢装置により閉塞位置に向けて付勢されている。そして、取出口扉２４が閉塞されていることを検知する扉開閉検知センサ（図示せず）が配設され、取出口扉２４が閉塞されている状態でのみ商品搬送装置が商品搬送動作を行うことができるようにその動作が制御されている。
【００３０】
図３は、商品選択ボタン４１を示し、商品番号を入力して購入希望商品を選択するテンキー押しボタン４１ａと購入ボタン４１ｂ、取り消しボタン４１ｃの組合せで構成されている。
【００３１】
図４は、表示器４２を示し、商品選択ボタン４１で選択された商品番号や投入金額などを表示するものである。また、表示器４２には、売り切れランプ４２ａや釣銭切れランプ４２ｂが設けられている。
【００３２】
図５は、自動販売機１の制御ブロック図を示し、自動販売機１での商品販売などを制御するメインコントロールボックス（制御部）９０は、中央処理装置としてのＣＰＵ（Central Processing Unit）９１、ＣＰＵ９１の制御プログラムを格納するＲＯＭ（Read Only Memory）９２、ＣＰＵ９１の制御に必要な各種のプログラムやデータを随時記憶するＲＡＭ（Random Access Memory：商品の販売価格や商品収納庫２ａ内部の設定温度などを記憶する）９３、基準クロック発生部（図示せず）で発生するクロックをカウントして各種時刻を計時するタイマー９４、自動販売機１に備えられている各機器に通電する電力回路を有する通電部９５から構成されている。また、メインコントロールボックス９０には、商品選択ボタン４１および表示器４２を自動販売機１の入出力装置とする、通常モードからリモコンモードに切り替えるモード切替スイッチ９６を備えている。
【００３３】
また、制御部９０には、商品番号を入力して購入希望商品を選択するテンキー押しボタン４１ａと購入ボタン４１ｂ、取り消しボタン４１ｃの組合せで構成する商品選択ボタン４１、紙幣識別装置４３や硬貨識別装置４５、接客部外扉４が開放されたことを検知して検知信号を制御部９０に出力する外扉開閉検知スイッチ９７などが接続され、硬貨識別装置４５には、紙幣挿入口４４に挿入した紙幣や硬貨投入口４６に投入した硬貨を返却操作する金銭返却スイッチ４７が接続されている。
【００３４】
さらに、制御部９０は、商品選択ボタン４１で選択された商品番号や投入金額などを表示する表示器４２などへの通電制御を行う。
【００３５】
次に、自動販売機１の接客部外扉４を開け、商品選択ボタン４１の予め設定してあるボタンを押下することにより、商品選択ボタン４１および表示器４２を自動販売機１の入出力装置とする、通常モードからリモコンモードに切り替える制御の手順を図６のフローチャート図を用いて説明する。
【００３６】
先ず、接客部外扉４が開放されているかを確認する（ステップＳ１１）。接客部外扉４が開放されていると確認した場合（ステップＳ１１：Ｙｅｓ）、商品選択ボタン４１のテンキー押しボタン４１ａの「１」ボタンを押下すると（ステップＳ１２：Ｙｅｓ）、商品選択ボタン４１および表示器４２を自動販売機１の入出力装置とする、通常モードからリモコンモードに切り替わる（ステップＳ１３）。そして、予め設定してある表示ランプ、例えば、売り切れランプ４２ａ、釣銭切れランプ４２ｂなどを点灯させ、通常モードからリモコンモードに切り替わったことを表示することにより、リモコンモードに切り替わったことを知らせるようにしている。
【００３７】
接客部外扉４が開放されていない（ステップＳ１１：Ｎｏ）、商品選択ボタン４１のテンキー押しボタン４１ａが押下されない（ステップＳ１２：Ｎｏ）と、通常モードを維持する（ステップＳ１４）。
【００３８】
また、自動販売機１の接客部外扉４を開け、メインコントロールボックス９０に備えているモード切替スイッチ９６を操作することにより、商品選択ボタン４１および表示器４２を自動販売機１の入出力装置とする、通常モードからリモコンモードに切り替える制御の手順を図７のフローチャート図を用いて説明する。
【００３９】
先ず、接客部外扉４が開放されているかを確認する（ステップＳ２１）。接客部外扉４が開放されていると確認した場合（ステップＳ２１：Ｙｅｓ）、モード切替スイッチ９６を操作（ＯＮ）すると（ステップＳ２２：Ｙｅｓ）、商品選択ボタン４１および表示器４２を自動販売機１の入出力装置とする、通常モードからリモコンモードに切り替わる（ステップＳ２３）。そして、予め設定してある表示ランプ、例えば、売り切れランプ４２ａ、釣銭切れランプ４２ｂなどを点灯させ、通常モードからリモコンモードに切り替わったことを表示することにより、リモコンモードに切り替わったことを知らせるようにしている。
【００４０】
接客部外扉４が開放されていない（ステップＳ２１：Ｎｏ）、モード切替スイッチ９６が操作されない（ステップＳ２２：Ｎｏ）と、通常モードを維持する（ステップＳ２４）。
【００４１】
次に、図６および図７のフローチャート図を用いて説明した、商品選択ボタン４１および表示器４２を自動販売機１の入出力装置とする、通常モードからリモコンモードに切り替わった後の制御の手順を図８のフローチャート図を用いて説明する。
【００４２】
リモコンモードに切り替わると（ステップＳ３１）、表示器４２にはデフォルト機能としてのモードファンクション１（例えば、販売価格設定モード「０１」）が表示され（ステップＳ３２）、商品選択ボタン４１の予め設定してあるボタン（例えば、「８」ボタン）を押下することにより（ステップＳ３３：Ｙｅｓ）、表示器４２の表示がモードファンクション１からモードファンクション２（例えば、商品収納庫２ａ内部の温度設定モード「０２」）に遷移する（ステップＳ３４）。
【００４３】
また、商品選択ボタン４１の予め設定してあるボタン（例えば、「０」ボタン）を押下することにより（ステップＳ３５：Ｙｅｓ）、表示器４２の表示がモードファンクション１からモードファンクション１０に遷移する（ステップＳ３６）。
【００４４】
次に、購入ボタン４１ｂが押下されると（ステップＳ３７：Ｙｅｓ）、各モードファンクションに対応する項目のデータを表示器４２に表示する（例えば、モードファンクション１の場合は販売価格「０１」、モードファンクション２の場合は商品収納庫２ａ内部の温度「０２」）（ステップＳ３８）。さらに、購入ボタン４１ｂが押下されると入力モードへと移行して表示器４２に入力モードが表示される。
【００４５】
例えば、モードファンクション２の温度が表示されている状態で、購入ボタン４１ｂが押下されると（ステップＳ３９：Ｙｅｓ）、表示器４２に「０２  ００」（００が点滅）が表示される（ステップＳ４０）。次に、商品選択ボタン４１で「０７」ボタンを押下することで、商品収納庫２ａ内部の設定温度７℃を入力すると（ステップＳ４１：Ｙｅｓ）、表示器４２に「０２  ０７」（０７が点滅）が表示され、購入ボタン４１ｂを押下することで（ステップＳ４２：Ｙｅｓ）、商品収納庫２ａ内部の温度設定７℃が確定処理され（ステップＳ４３）、表示器４２に「０２  ０７」が点灯表示される。
【００４６】
そして、図９のフローチャート図に示しているように、リモコンモード（ステップＳ５１）から通常モードに切り替えるには、「接客部外扉４を閉鎖する、または、商品選択ボタン４１の何れのボタンも押下しないで予め設定してある所定時間が経過する、さらには、金銭返却スイッチ４７を操作する、または、モード切替スイッチ９６を操作する」ことで（ステップＳ５２：Ｙｅｓ）、通常モードに切り替える（ステップＳ５３）ことができる。
【００４７】
また、図１０のフローチャート図に示しているように、自動販売機１が故障した場合（ステップＳ６１：Ｙｅｓ）、接客部外扉４を開放し（ステップＳ６２：Ｙｅｓ）、商品選択ボタン４１の例えば「５」ボタンを押下すると（ステップＳ６３：Ｙｅｓ）、表示器４２に該故障の詳細内容に対応する「故障コード」が表示される（ステップＳ６４）。
【００４８】
このように、リモコンなどの専用の入力装置が不要となることから自動販売機１の構成を簡素化でき、コストダウンを図ることが可能な自動販売機１を提供することが可能となる。
【００４９】
以上説明したように本発明によれば、商品番号を入力して購入希望商品を選択する商品選択ボタン４１と、少なくとも商品選択ボタン４１で選択された商品番号や投入金額を表示する表示器４２と、を備えた自動販売機１において、自動販売機１の接客部外扉４を開け、商品選択ボタン４１の予め設定してあるボタンを押下することにより、商品選択ボタン４１および表示器４２を自動販売機１の入出力装置とする、通常モードからリモコンモードに切り替えることにより、リモコンなどの専用の入力装置が不要となることから自動販売機１の構成を簡素化でき、コストダウンを図ることが可能な自動販売機１を提供することが可能となる。
【００５０】
また、商品番号を入力して購入希望商品を選択する商品選択ボタン４１と、少なくとも商品選択ボタン４１で選択された商品番号や投入金額を表示する表示器４２と、自動販売機１の接客部外扉４内に自動販売機１を制御するメインコンロールボックス（制御部）９０と、を備えた自動販売機１において、メインコントロールボックス９０にモード切替スイッチ９６を備え、自動販売機１の接客部外扉４を開け、モード切替スイッチ９６を操作することにより、商品選択ボタン４１および表示器４２を自動販売機１の入出力装置とする、通常モードからリモコンモードに切り替えることにより、リモコンなどの専用の入力装置が不要となることから自動販売機１の構成を簡素化でき、コストダウンを図ることが可能な自動販売機１を提供することが可能となる。
【００５１】
また、リモコンモードに切り替わると、表示器４２にはデフォルト機能としてのモードファンクション１が表示され、商品選択ボタン４１の予め設定してあるボタンを押下することによりモードファンクション１から遷移させ、各モードファンクションを実行させることにより、少ない操作で各種データの設定作業を簡単に行うことができる自動販売機１を提供することが可能となる。
【００５２】
また、売り切れランプ４２ａ、釣銭切れランプ４２ｂなどの予め設定してある表示ランプを点灯させることにより、リモコンモードであることを表示することにより、データ設定作業者に通常モードからリモコンモードに切り替わったことを知らせることが可能となる。
【００５３】
また、接客部外扉４が閉められた、または、所定の時間内に商品選択ボタン４１の予め設定してあるボタンが押下されなかった、さらには、モード切替スイッチ９６または金銭返却スイッチ４７が操作されると、リモコンモードから通常モードに切り替えることにより、誤ってリモコンモードが継続することを原因とする商品の販売不可状態の継続を回避することが可能となる。
【００５４】
また、自動販売機１が故障した場合、自動販売機１の接客部外扉４を開け、商品選択ボタン４１の予め設定してあるボタンを押下することにより、表示器４２に、該故障の詳細内容に対応する故障コードを表示することにより、自動販売機１の故障時の故障コード表示をリモコンなどの専用の装置を必要としないで行うことが可能となる。
【００５５】
なお、本実施の形態において、金銭返却スイッチ４７は、硬貨識別装置４５に接続されて操作を制御しているが、制御部９０に直接接続して金銭返却スイッチ４７の操作を制御するようにしてもよく、例えば、紙幣識別装置４３のみを搭載した自動販売機１で有効である。
【符号の説明】
【００５６】
１      自動販売機
２      本体
３      収納庫外扉
４      接客部外扉
４１      商品選択ボタン
４２      表示器
４２ａ      売り切れランプ
４２ｂ      釣銭切れランプ
４７      金銭返却スイッチ
９０      メインコントロールボックス（制御部）
９６      モード切替スイッチ
【図１】
0005915815.tif 000002
【図２】
0005915815.tif 000003
【図３】
0005915815.tif 000004
【図４】
0005915815.tif 000005
【図５】
0005915815.tif 000006
【図６】
0005915815.tif 000007
【図７】
0005915815.tif 000008
【図８】
0005915815.tif 000009
【図９】
0005915815.tif 000010
【図１０】
0005915815.tif 000011